(57)【要約】【課題】  建物の窓が設けられる壁に、その窓の周辺で且つ室内側において取付枠を固定し、この取付枠に、所定間隔置きに並ぶ複数の格子棒を装着した窓用内格子装置において、高い防犯効果を確保しながらも、家人による内格子の脱着作業を簡単迅速に行えるようにする。【解決手段】  複数の格子棒１とこれら格子棒１を相互に一体的に結合する支持枠２とで内格子組立体Ｕを構成し、その内格子組立体Ｕと取付枠Ｔとの間には、内格子組立体Ｕを取付枠Ｔに係脱可能に係止させる係止機構Ｅと、その係止機構Ｅと協働して内格子組立体Ｕを取付枠Ｔに着脱可能にロックするロック機構Ｌとを設ける。【選択図】    図２
0003117493.tif 000002
【実用新案登録請求の範囲】
【請求項１】
建物の窓（Ｗ）が設けられる壁（Ｋ）に、その窓（Ｗ）の周辺で且つ室内側において取付枠（Ｔ）を固定し、この取付枠（Ｔ）に、所定間隔置きに並ぶ複数の格子棒（１）を装着した窓用内格子装置において、
前記複数の格子棒（１）とこれら格子棒（１）を相互に一体的に結合する支持枠（２）とで内格子組立体（Ｕ）を構成し、
その内格子組立体（Ｕ）と前記取付枠（Ｔ）との間には、該内格子組立体（Ｕ）を該取付枠（Ｔ）に係脱可能に係止させる係止機構（Ｅ）と、その係止機構（Ｅ）と協働して該内格子組立体（Ｕ）を該取付枠（Ｔ）に着脱可能にロックするロック機構（Ｌ）とを設けたことを特徴とする、窓用内格子装置。
【請求項２】
前記係止機構（Ｅ）は、前記内格子組立体（Ｕ）を前記取付枠（Ｔ）に対して窓（Ｗ）の一辺に沿う所定方向にのみ相対移動を可能として係止させ、
前記ロック機構（Ｌ）は、前記係止機構（Ｅ）により前記内格子組立体（Ｕ）を前記取付枠（Ｔ）に係止させた状態で該内格子組立体（Ｕ）の該取付枠（Ｔ）に対する前記所定方向の相対移動を阻止するように該内格子組立体（Ｕ）を該取付枠（Ｔ）にロック可能であることを特徴とする、請求項１に記載の窓用内格子装置。
【請求項３】
前記取付枠（Ｔ）は、少なくとも窓（Ｗ）の左右側縁に沿う左右一対の側枠部（Ｔｒ，Ｔｌ）を有しており、
その各々の側枠部（Ｔｒ，Ｔｌ）と、前記内格子組立体（Ｕ）の対向辺部とのうちの何れか一方に鉤状の係止片（３）が、またその何れか他方に、該係止片（３）が上下方向に係脱可能に嵌入、係止し得る係止孔（４）がそれぞれ設けられて、それら係止片（３）と係止孔（４）とで前記係止機構（Ｅ）が構成されると共に、前記係止片（３）と係止孔（４）との係止により、前記内格子組立体（Ｕ）が左右一対の側枠部（Ｔｒ，Ｔｌ）間に上方へのみ移動可能に支持され、
前記ロック機構（Ｌ）は、前記係止機構（Ｅ）により前記内格子組立体（Ｕ）を前記取付枠（Ｔ）に係止させた状態で、その内格子組立体（Ｕ）の上方移動を阻止するように該内格子組立体（Ｕ）を該取付枠（Ｔ）にロック可能であることを特徴とする、請求項１又は２に記載の窓用内格子装置。
【請求項４】
前記ロック機構（Ｌ）は、窓（Ｗ）の上部に対応する位置に配設されることを特徴とする、請求項１〜３の何れかに記載の窓用内格子装置。
【考案の詳細な説明】
【技術分野】
【０００１】
本考案は、建物の室内側に設置されて、盗犯者の窓からの侵入を防ぐための窓用内格子装置に関する。
【背景技術】
【０００２】
上記窓用内格子装置として、例えば、建物の窓が設けられる壁に、その窓の周辺で且つ室内側において取付枠を固定し、この取付枠に、所定間隔置きに並ぶ複数の格子棒を装着した構造のものが従来公知である（例えば、下記の特許文献１を参照）。
【特許文献１】特開２００４−３６０３４５号公報
【考案の開示】
【考案が解決しようとする課題】
【０００３】
上記特許文献１の窓用内格子装置では、所定間隔置きに並ぶ複数の格子棒を相互に連結する支持枠を、室内壁に固定の取付枠に複数の皿ネジで締着し、更にそれらネジの頭部を覆う蓋板を支持枠に別の複数の皿ネジで締着して、外部の盗犯者が格子棒を簡単には外せないようにしているが、窓の掃除の際や、家人の窓からの緊急脱出の際には、格子棒の取り外しが面倒で、多大の手間と時間がかかる問題がある。
【０００４】
本考案は上記に鑑みてなされたもので、高い防犯効果を確保しながら、家人による格子棒の脱着作業を簡単迅速に行えるようにして従来装置の問題を解決した構造簡単な窓用内格子装置を提供することを目的とする。
【課題を解決するための手段】
【０００５】
上記目的を達成するために、請求項１の考案は、建物の窓が設けられる壁に、その窓の周辺で且つ室内側において取付枠を固定し、この取付枠に、所定間隔置きに並ぶ複数の格子棒を装着した窓用内格子装置において、前記複数の格子棒とこれら格子棒を相互に一体的に結合する支持枠とで内格子組立体を構成し、その内格子組立体と前記取付枠との間には、該内格子組立体を該取付枠に係脱可能に係止させる係止機構と、その係止機構と協働して該内格子組立体を該取付枠に着脱可能にロックするロック機構とを設けたことを特徴とする。
【０００６】
また請求項２の考案は、請求項１の上記構成に加えて、前記係止機構は、前記内格子組立体を前記取付枠に対して窓の一辺に沿う所定方向にのみ相対移動を可能として係止させ、前記ロック機構は、前記係止機構により前記内格子組立体を前記取付枠に係止させた状態で該内格子組立体の該取付枠に対する前記所定方向の相対移動を阻止するように該内格子組立体を該取付枠にロック可能であることを特徴とする。
【０００７】
また請求項３の考案は、請求項１又は２の上記構成に加えて、前記取付枠は、少なくとも窓の左右側縁に沿う左右一対の側枠部を有しており、その各々の側枠部と、前記内格子組立体の対向辺部とのうちの何れか一方に鉤状の係止片が、またその何れか他方に、該係止片が上下方向に係脱可能に嵌入、係止し得る係止孔がそれぞれ設けられて、それら係止片と係止孔とで前記係止機構が構成されると共に、前記係止片と係止孔との係止により、前記内格子組立体が左右一対の側枠部間に上方へのみ移動可能に支持され、前記ロック機構は、前記係止機構により前記内格子組立体を前記取付枠に係止させた状態で、その内格子組立体の上方移動を阻止するように該内格子組立体を該取付枠にロック可能であることを特徴とする。
【０００８】
また請求項４の考案は、請求項１〜３の何れかの構成に加えて、前記ロック機構が、窓の上部に対応する位置に配設されることを特徴とする。
【考案の効果】
【０００９】
以上のように本考案によれば、内格子の取付けに際しては、複数の格子棒とこれら格子棒を相互に一体的に結合する支持枠とから内格子組立体を予め組立ておき、その内格子組立体を取付枠に係止させた後、その内格子組立体をロック機構で取付枠にロックするだけでよいようにしたので、取付作業が頗る簡単である上、取付け後は、ロック機構が係止機構と協働して内格子組立体を取付枠に強固にロックすることができる。また内格子の取り外しに際しては、ロック機構をロック解除した後、内格子組立体の取付枠に対する係止を単に解除するだけでよく、取外し作業も頗る簡単である。以上により、高い防犯効果を確保しながら、家人による内格子の脱着作業を簡単に行えるようにして、窓の清掃時や窓からの緊急脱出時に内格子を迅速容易に取り外すことができて便利である。
【００１０】
また特に請求項２の考案によれば、前記係止機構は、内格子組立体を取付枠に対して窓の一辺に沿う所定方向にのみ相対移動を可能として係止させ、前記ロック機構は、係止機構により内格子組立体を取付枠に係止させた状態で内格子組立体の取付枠に対する前記所定方向の相対移動を阻止するように内格子組立体を取付枠にロック可能であるので、内格子組立体を取付枠に脱着する際には、内格子組立体を取付枠に対して窓の一辺に沿う所定方向に単に相対移動させるだけでよく、内格子組立体を脱着する際の取り扱い操作が一層簡単となる。
【００１１】
また特に請求項３の考案によれば、取付枠の左右の側枠部と、内格子組立体の対向辺部とのうちの何れか一方に、鉤状の係止片が、またその他方に該係止片が上下方向に係脱可能に嵌入、係止し得る係止孔がそれぞれ設けられ、それら係止片と係止孔との係止により、内格子組立体が左右一対の側枠部間に上方へのみ移動可能に支持され、前記ロック機構は、係止機構により内格子組立体を取付枠に係止させた状態で、その内格子組立体の上方移動を阻止するように内格子組立体を取付枠にロック可能であるので、内格子組立体を取付枠に取付ける際には、内格子組立体を取付枠の左右の側枠部間に落とし込んで上記鉤状の係止片と係止孔とを単に係合させるだけで、内格子組立体を取付枠の定位置に簡単に仮止め保持でき、従って、その保持状態では、作業者は内格子組立体を手で支える必要がなく、ロック機構のロック操作を簡単に行うことができる。
【００１２】
また特に請求項４の考案によれば、前記ロック機構は、窓の上部に対応する位置に配設されるので、外部の盗犯者が脚立等を用いて手を伸ばす等しないと届かない位置にロック機構を置くことが可能となり、従って、ロック機構が外部の盗犯者により壊されにくくなり、防犯効果を一層高めることができる。
【考案を実施するための最良の形態】
【００１３】
本考案の実施の形態を、添付図面に例示した本考案の実施例に基づいて以下に具体的に説明する。
【００１４】
添付図面において、図１〜図５は本考案に係る窓用内格子装置の一実施例を示すものであって、図１は全体斜視図、図２は、室内側から見た窓用内格子装置の正面図（図１の２矢視図）、図３は図２の３−３線断面図、図４は、ロック機構及び係止機構の要部を示す拡大断面図（図３の４−４線拡大断面図）、図５は係止機構を示す分解斜視図である。
【００１５】
先ず、図１〜図３において、建物の壁Ｋには窓として、上下に並列して各々開閉可能な複数の帯板状ガラスＧと、それら帯板状ガラスＧを互いに連動して開閉操作するための操作レバー（図示せず）とを備えた従来周知のルーバー窓Ｗが設けられる。その壁Ｋには、ルーバー窓Ｗの周辺で且つ室内側において取付枠Ｔが固定されており、この取付枠Ｔに内格子組立体Ｕが着脱可能に取付けられる。
【００１６】
前記取付枠Ｔは、互いに平行して上下に各々延びる左右一対の側枠部Ｔｒ，Ｔｌと、それら側枠部Ｔｒ，Ｔｌの上端間を一体的に結合する上枠部Ｔｕと、それら側枠部Ｔｒ，Ｔｌの下端間を一体的に結合する下枠部Ｔｄとより全体として、ルーバー窓Ｗの開口部を取り囲む矩形枠状に形成されており、壁Ｋの室内側の壁面に簡単に取り外せないよう溶接等の固着手段（図示せず）を以て強固に固着される。
【００１７】
前記内格子組立体Ｕは、上下に等間隔で整列する複数の格子棒１…と、これら格子棒１…を一端部相互および他端部相互を各々一体的に結合（図示例では溶接）する左右一対の支持枠２，２とで構成されており、その全体が一個の組立ユニットとして組立工場等で予め組立可能である。
【００１８】
その内格子組立体Ｕと前記取付枠Ｔとの間には、該内格子組立体Ｕを該取付枠Ｔに係脱可能に係止させる係止機構Ｅと、その係止機構Ｅと協働して該内格子組立体Ｕを該取付枠Ｔに着脱可能にロックするロック機構Ｌとが設けられる。
【００１９】
前記係止機構Ｅは、前記内格子組立体Ｕを前記取付枠Ｔに対して窓Ｗの一辺に沿う所定方向（図示例では上方）にのみ相対移動を可能として係止させるべく構成される。
【００２０】
また前記ロック機構Ｌは、前記係止機構Ｅにより内格子組立体Ｕを取付枠Ｔに係止させた状態で該内格子組立体Ｕの該取付枠Ｔに対する前記所定方向の相対移動を阻止するように該内格子組立体Ｕを該取付枠Ｔにロックし得るように構成される。
【００２１】
次に図４，図５を併せて参照して前記係止機構Ｅおよびロック機構Ｌの一例を具体的に説明する。取付枠Ｔの左右何れか一方の側枠部Ｔｒと、内格子組立体Ｕの対向辺部（図示例では左右何れか一方の支持枠２）とのうちの何れか一方（図示例では側枠部Ｔｒ）には、先端を上向きとした鉤状の係止片３がネジ等の固着手段で固着され、またその何れか他方（図示例では支持枠２）には、該係止片３が上下方向に係脱可能に嵌入、係止し得る係止孔４が設けられていて、それら係止片３と係止孔４との係止により、内格子組立体Ｕが左右一対の側枠部Ｔｒ，Ｔｌ間において上方へのみ所定量（即ち係止片３が係止孔４に係脱するのに最低限必要な上下ストローク分）だけ移動可能に支持される。而して上記係止片３と係止孔４とが互いに協働して本考案の係止機構Ｅを構成する。
【００２２】
またロック機構Ｌは、前記係止機構Ｅにより内格子組立体Ｕを取付枠Ｔに係止させた状態で、その内格子組立体Ｕの上方移動を阻止する（即ち係止機構Ｅの係止片３と係止孔４との係止状態を保持する）ように内格子組立体Ｕを取付枠Ｔにロック可能に構成されるものであって、図示例では内格子組立体Ｕ及び取付枠Ｔの何れか一方（図示例では内格子組立体Ｕの左右一方の支持枠２）に固着したシリンダ錠５と、その何れか他方（図示例では取付枠Ｔの左右一方の側部枠Ｔｒ）に固着されて鍵孔６ａを有する受け枠６と、シリンダ錠５に抜差可能に差し込まれて該シリンダ錠５を施錠・解錠操作可能なキー７とを備えており、そのキー７による施錠・解錠操作でシリンダ錠５より出没するロック片５ａを前記鍵穴６ａに係脱させることで、内格子組立体Ｕを取付枠Ｔに係脱、即ち施錠・解錠操作できるようになっている。
【００２３】
また前記ロック機構Ｌは、窓Ｗの上部に対応する位置に配設されており、これにより、外部の盗犯者が脚立等を用いて手を伸ばす等しないと届かない位置にロック機構を置くことが可能となる。そのため、内格子組立体Ｕの特設効果とも相俟って、ロック機構Ｌが外部の盗犯者により壊されにくくなり、防犯効果を高めることができる。
【００２４】
次に前記実施例の作用を説明する。
【００２５】
内格子の取付けに際しては、複数の格子棒１…と、これら格子棒１…を相互に一体的に結合する支持枠２，２とから内格子組立体Ｕを予め組立ておき、その内格子組立体Ｕを取付枠Ｔ内に落とし込むようにして係止機構Ｅを以て係止させた後、ロック機構Ｌをキー７の操作で施錠して、内格子組立体Ｕを該ロック機構Ｌにより取付枠Ｔにロックするようにする。この一連の取付作業は、作業工程が頗る簡単で迅速に行い得る上、取付け後は、ロック機構Ｌが係止機構Ｅと協働して内格子組立体Ｕを取付枠Ｔに強固にロックしておくことができる。
【００２６】
また内格子の取り外しに際しては、ロック機構Ｌをキー７の操作で解錠した後、内格子組立体Ｕを取付枠Ｔ内より若干持ち上げつつ手前側に引き出すことにより、その内格子組立体Ｕの取付枠Ｔに対する係止を単に解除するだけでよく、取外し作業も頗る簡単である。以上により、高い防犯効果を確保しながら、家人による内格子組立体Ｕの脱着作業を簡単に行えるようにして、窓の清掃時や窓からの緊急脱出時に内格子組立体Ｕを迅速容易に取り外すことができて便利である。
【００２７】
また図示例では、内格子組立体Ｕを取付枠Ｔに脱着する際に、内格子組立体Ｕを取付枠Ｔに対してルーバー窓Ｗの一辺に沿う所定方向（図示例では上下方向）に単に相対移動させるだけで済むため、その脱着の際の取り扱い操作が簡単である。
【００２８】
さらに図示例では、内格子組立体Ｕを取付枠Ｔに取付ける際に、内格子組立体Ｕを取付枠Ｔの左右の側枠部Ｔｌ，Ｔｒ間に落とし込んで鉤状の係止片３と係止孔４とを単に係合させるだけで、内格子組立体Ｕを取付枠Ｔの定位置に簡単に仮止め保持でき、その保持状態では、作業者は内格子組立体を手で支える必要がなく、ロック機構Ｌの施錠・解錠操作を簡単に行うことができる。
【００２９】
以上、本考案の実施例を詳述したが、本考案はその要旨を逸脱しない範囲で種々の設計変更を行うことが可能である。
【００３０】
例えば、前記実施例では、窓Ｗとしてルーバー窓を用いたものを示したが、本考案では、ルーバー窓以外の通常のガラス窓を用いた建物に実施してもよいことは勿論である。この場合、ガラス窓は、開閉できるか否かを問わない。
【００３１】
また前記実施例では、ロック機構Ｌをキー７で施錠・解錠操作できるようにしたものを示したが、本考案では、キー無しで（例えばナンバー合わせにより）施錠・解錠操作できるようにしてもよい。
【図面の簡単な説明】
【００３２】
【図１】本考案に係る窓用内格子装置の一実施例を示す全体斜視図
【図２】室内側から見た窓用内格子装置の正面図（図１の２矢視図）
【図３】図２の３−３線断面図
【図４】ロック機構及び係止機構の要部を示す拡大断面図（図３の４−４線拡大断面図）
【図５】係止機構を示す分解斜視図
【符号の説明】
【００３３】
Ｅ・・・・係止機構
Ｋ・・・・壁
Ｌ・・・・ロック機構
Ｔ・・・・取付枠
Ｔｒ，Ｔｌ・・左右一対の側枠部
Ｕ・・・・内格子組立体
Ｗ・・・・窓としてのルーバー窓
１・・・・格子棒
２・・・・支持枠
３・・・・係止片
４・・・・係止孔
【図１】
0003117493.tif 000003
【図２】
0003117493.tif 000004
【図３】
0003117493.tif 000005
【図４】
0003117493.tif 000006
【図５】
0003117493.tif 000007